【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
隣り合うロータ羽根（３０）のプラットフォーム（５０）の間において周方向の取り付けスロット（５４）に挿入されるロック用スペーサアセンブリ（１００）であって、
隣り合うロータ羽根（３０）のプラットフォーム（５０）の間の空間にはまり込むように構成される第１の端部ピース（１５２）であって、前記第１の端部ピース（１５２）が外面（１５２ｂ）と、内面（１５２ａ）と、第１の平面（１５４）とを有しており、前記第１の端部ピース（１５２）が、前記内面（１５２ａ）から半径方向外側に延びる第１の凹部と、前記内面（１５２ａ）から半径方向外側に延びる第１の位置決めチャネルとを画定し、前記外面（１５２ｂ）が前記取り付けスロット（５４）に突出するように構成された外形を有し、前記第１の平面（１５４）が、前記内面（１５２ａ）から半径方向内側に延び、横方向で前記第１の凹部と前記第１の位置決めチャネルとの間に配置されている第１の端部ピース（１５２）と、
前記プラットフォーム（５０）の間の前記空間にはまり込むように構成される第２の端部ピース（１５８）であって、前記第２の端部ピース（１５８）が、外面（１５８ｂ）と、内面（１５８ａ）と、第２の平面（１６０）とを有しており、前記第２の端部ピース（１５８）が、前記内面（１５８ａ）から半径方向外側に延びる第２の凹部と、前記内面（１５８ａ）から半径方向外側に延びる第２の位置決めチャネルとを画定し、前記外面（１５８ｂ）が前記取り付けスロット（５４）に突出するように構成された外形を有し、前記第２の平面（１６０）が、前記内面（１５８ａ）から半径方向内側に延び、横方向で前記第２の凹部と前記第２の位置決めチャネルとの間に配置されており、前記内面（１５８ａ）が前記第１の端部ピース（１５２）の前記内面（１５２ａ）におおむね面する第２の端部ピース（１５８）と、
前記内面（１５２ａ、１５８ａ）の間を移動可能であり、前記内面（１５２ａ、１５８ａ）に係合するように構成された突出部（１６６）を備えるとともに、該突出部（１６６）から延びる複数の位置決め突起（２１８）をさらに備えており、該位置決め突起（２１８）が前記第１及び第２の位置決めチャネルにはまり込むように構成されているアクチュエータ（１６４）と
を備えるロック用スペーサアセンブリ（１００）。
【請求項２】
前記突出部（１６６）が、該突出部（１６６）上に形成されて前記内面（１５２ａ、１５８ａ）に係合するように構成された第１の表面（１６８）および第２の表面（１７０）を備え、該第１および第２の表面（１６８、１７０）が、径方向に対しておおむね垂直であり、
前記アクチュエータ（１６４）の前記第１の表面（１６８）が、前記第１の平面（１５４）に係合するように構成され、前記アクチュエータ（１６４）の前記第２の表面（１７０）が、前記第２の平面（１６０）に係合するように構成されている請求項１に記載のロック用スペーサアセンブリ（１００）。
【請求項３】
前記内面（１５２ａ、１５８ａ）の間に挿入されるように構成されたスペーサブロック（１７２）をさらに備え、該スペーサブロック（１７２）が、前記アクチュエータ（１６４）を受け入れるように構成された空洞（１７４）を定めており、
前記スペーサブロック（１７２）を前記アクチュエータ（１６４）に固定するように構成された固定具（１８４）をさらに備える請求項１または２に記載のロック用スペーサアセンブリ（１００）。
【請求項４】
前記第１および第２の端部ピース（１５２、１５８）の前記内面（１５２ａ、１５８ａ）に形成された凹所（１５７、１６３）をさらに定めており、前記スペーサブロック（１７２）が、側方に延びるカラー（１７７）をさらに備え、該カラー（１７７）が、前記スペーサブロック（１７２）が前記内面（１５２ａ、１５８ａ）の間に挿入されるときに前記凹所（１５７、１６３）に受け入れられるように構成され、
前記凹所（１５７、１６３）から径方向に延びるくぼみ（２０２、２０４）をさらに定めるとともに、前記カラー（１７７）から径方向に延びる突起（２０６）をさらに備えており、該突起（２０６）が、前記スペーサブロック（１７２）が前記内面（１５２ａ、１５８ａ）の間に挿入されるときに前記くぼみ（２０２、２０４）に受け入れられるように構成されている請求項３に記載のロック用スペーサアセンブリ（１００）。
【請求項５】
前記アクチュエータ（１６４）に取り付けられるように構成されたカラーアセンブリ（２３０）をさらに備える請求項１乃至４のいずれかに記載のロック用スペーサアセンブリ（１００）。
【請求項６】
前記カラーアセンブリ（２３０）を前記アクチュエータ（１６４）に固定するように構成された固定具（２４０）をさらに備える請求項５に記載のロック用スペーサアセンブリ（１００）。
【請求項７】
前記第１および第２の端部ピース（１５２、１５８）の前記内面（１５２ａ、１５８ａ）に形成された凹所をさらに定めており、前記カラーアセンブリ（２３０）が、側方に延びるカラー（２３２）をさらに備え、該カラー（２３２）が、前記スペーサブロック（１７２）が前記内面（１５２ａ、１５８ａ）の間に挿入されるときに前記凹所に受け入れられるように構成され、
前記凹所から径方向に延びるくぼみ（２０２、２０４）をさらに定めるとともに、前記カラー（２３２）から径方向に延びる突起（２３６）をさらに備えており、該突起（２３６）が、前記スペーサブロック（１７２）が前記内面（１５２ａ、１５８ａ）の間に挿入されるときに前記くぼみ（２０２、２０４）に受け入れられるように構成されている請求項５に記載のロック用スペーサアセンブリ（１００）。
【請求項８】
周方向に延びる連続的な取り付けスロット（５４）を定めている前側および後ろ側ポスト（５６）を備えているロータディスク（２８）と、
複数のプラットフォーム（５０）のうちの１つからそれぞれ延びており、前記複数のプラットフォーム（５０）の各々が内側に延びている根元によって前記取り付けスロット（５４）に固定される複数のロータ羽根（３０）と、
前記複数のプラットフォーム（５０）のうちの少なくとも２つの間の空間に配置されるロック用スペーサアセンブリ（１００）と
を備えるロータアセンブリであって、
前記ロック用スペーサアセンブリ（１００）が、
隣り合うロータ羽根（３０）のプラットフォーム（５０）の間の空間にはまり込むように構成される第１の端部ピース（１５２）であって、前記第１の端部ピース（１５２）が外面（１５２ｂ）と、内面（１５２ａ）と、第１の平面（１５４）とを有しており、前記第１の端部ピース（１５２）が、前記内面（１５２ａ）から半径方向外側に延びる第１の凹部と、前記内面（１５２ａ）から半径方向外側に延びる第１の位置決めチャネルとを画定し、前記外面（１５２ｂ）が前記取り付けスロット（５４）に突出するように構成された外形を有し、前記第１の平面（１５４）が、前記内面（１５２ａ）から半径方向内側に延び、横方向で前記第１の凹部と前記第１の位置決めチャネルとの間に配置されている第１の端部ピース（１５２）と、
前記プラットフォーム（５０）の間の前記空間にはまり込むように構成される第２の端部ピース（１５８）であって、前記第２の端部ピース（１５８）が、外面（１５８ｂ）と、内面（１５８ａ）と、第２の平面（１６０）とを有しており、前記第２の端部ピース（１５８）が、前記内面（１５８ａ）から半径方向外側に延びる第２の凹部と、前記内面（１５８ａ）から半径方向外側に延びる第２の位置決めチャネルとを画定し、前記外面（１５８ｂ）が前記取り付けスロット（５４）に突出するように構成された外形を有しており、前記内面（１５８ａ）が前記第１の端部ピース（１５２）の前記内面（１５２ａ）におおむね面し、前記第２の平面（１６０）が、前記内面（１５８ａ）から半径方向内側に延び、横方向で前記第２の凹部と前記第２の位置決めチャネルとの間に配置される第２の端部ピース（１５８）と、
前記内面（１５２ａ、１５８ａ）の間を移動可能であり、前記内面（１５２ａ、１５８ａ）に係合するように構成された突出部（１６６）を備えるとともに、該突出部（１６６）から延びる複数の位置決め突起（２１８）をさらに備えており、該位置決め突起（２１８）が前記第１及び第２の位置決めチャネルにはまり込むように構成されているアクチュエータ（１６４）と
を備えているロータアセンブリ。
【請求項９】
前記突出部（１６６）が、該突出部（１６６）上に形成されて前記内面（１５２ａ、１５８ａ）に係合するように構成された第１の表面（１６８）および第２の表面（１７０）を備え、該第１および第２の表面（１６８、１７０）が、径方向に対しておおむね垂直であり、
前記第１および第２の平面（１５４、１６０）が、径方向に対しておおむね垂直であり、前記アクチュエータ（１６４）の前記第１の表面（１６８）が、前記第１の平面（１５４）に係合するように構成され、前記アクチュエータ（１６４）の前記第２の表面（１７０）が、前記第２の平面（１６０）に係合するように構成され、
前記内面（１５２ａ、１５８ａ）の間に挿入されるように構成されたスペーサブロック（１７２）をさらに備え、該スペーサブロック（１７２）が、前記アクチュエータ（１６４）を受け入れるように構成された空洞（１７４）を定め、
前記第１および第２の端部ピース（１５２、１５８）の前記内面（１５２ａ、１５８ａ）に形成された凹所（１５７、１６３）をさらに定めており、前記スペーサブロック（１７２）が、側方に延びるカラー（１７７）をさらに備え、該カラー（１７７）が、前記スペーサブロック（１７２）が前記内面（１５２ａ、１５８ａ）の間に挿入されるときに前記凹所（１５７、１６３）に受け入れられるように構成されている請求項８に記載のロータアセンブリ。
【請求項１０】
前記アクチュエータ（１６４）に取り付けられるように構成されたカラーアセンブリ（２３０）をさらに備える請求項８または９に記載のロータアセンブリ。
【請求項１１】
圧縮機部分と、
タービン部分と、
前記圧縮機部分と前記タービン部分との間の燃焼器部分と
を備えており、
前記圧縮機部分または前記タービン部分の一方が、
周方向に延びる連続的な取り付けスロット（５４）を定めている前側および後ろ側ポストを備えているロータディスク（２８）と、
複数のプラットフォーム（５０）のうちの１つからそれぞれ延びており、前記複数のプラットフォーム（５０）の各々が内側に延びている根元によって前記取り付けスロット（５４）に固定される複数のロータ羽根（３０）と、
前記複数のプラットフォーム（５０）のうちの少なくとも２つの間の空間に配置されるロック用スペーサアセンブリ（１００）と
を備え、
前記ロック用スペーサアセンブリ（１００）が、
隣り合うロータ羽根（３０）のプラットフォーム（５０）の間の空間にはまり込むように構成される第１の端部ピース（１５２）であって、前記第１の端部ピース（１５２）が、外面（１５２ｂ）と、内面（１５２ａ）と、第１の平面（１５４）とを有しており、前記第１の端部ピース（１５２）が、前記内面（１５２ａ）から半径方向外側に延びる第１の凹部と、前記内面（１５２ａ）から半径方向外側に延びる第１の位置決めチャネルとを画定し、前記外面（１５２ｂ）が前記取り付けスロット（５４）に突出するように構成された外形を有し、前記第１の平面（１５４）が、前記内面（１５２ａ）から半径方向内側に延び、横方向で前記第１の凹部と前記第１の位置決めチャネルとの間に配置されている第１の端部ピース（１５２）と、
前記プラットフォーム（５０）の間の前記空間にはまり込むように構成される第２の端部ピース（１５８）であって、前記第２の端部ピース（１５８）が、外面（１５８ｂ）および内面（１５８ａ）を有しており、前記第２の端部ピース（１５８）が、前記内面（１５８ａ）から半径方向外側に延びる第２の凹部と、前記内面（１５８ａ）から半径方向外側に延びる第２の位置決めチャネルとを画定し、前記外面（１５８ｂ）が前記取り付けスロット（５４）に突出するように構成された外形を有しており、前記内面（１５８ａ）が前記第１の端部ピース（１５２）の前記内面（１５２ａ）におおむね面し、前記第２の平面（１６０）が、前記内面（１５８ａ）から半径方向内側に延び、横方向で前記第２の凹部と前記第２の位置決めチャネルとの間に配置される第２の端部ピース（１５８）と、
前記内面（１５２ａ、１５８ａ）の間を移動可能であり、前記内面（１５２ａ、１５８ａ）に係合するように構成された突出部（１６６）を備えるとともに、該突出部（１６６）から延びる複数の位置決め突起（２１８）をさらに備えており、該位置決め突起（２１８）が前記第１及び第２の位置決めチャネルにはまり込むように構成されているアクチュエータ（１６４）と
を備えるターボ機械。